(57)【要約】      （修正有）【課題】ダストカップの容量を可変して伸長状態でより多くの塵埃を収容でき、利便性を向上したダストカップおよびダストカップを用いた電気掃除機を提供する。【解決手段】第１ケース１０及び第２ケース２０を備え、第１ケースと第２ケースとが互いに嵌合されて伸縮機構を形成し、第１ケースと第２ケースの内部が連通接続され、第１ケースと第２ケースとの間には、短縮させた際の位置を規制する短縮位置規制アセンブリと、伸長させた際の位置を規制する伸長位置規制アセンブリと、を備える位置規制機構が設けられている。短縮位置規制アセンブリは、第２ケースに設けられた突起部２１が第１ケースに当接し、最小ストロークを規制する。伸長位置規制アセンブリは、第１ケースに設けられた位置規制凸部１１が第２ケースに設けられた長溝２６内で摺動し、伸縮構造の最大ストロークを規制する。【選択図】図４
0003222836.tif 000002
【実用新案登録請求の範囲】
【請求項１】
第１ケース及び第２ケースを備え、前記第１ケースと前記第２ケースとが互いに嵌合されて伸縮機構を形成し、
前記第１ケースと前記第２ケースの内部が連通接続され、前記第１ケースと前記第２ケースとの間には、
短縮させた際の位置を規制する短縮位置規制アセンブリと、
伸長させた際の位置を規制する伸長位置規制アセンブリと、
を備える位置規制機構が設けられていることを特徴とするダストカップ。
【請求項２】
前記第１ケースが、前記第２ケースに嵌合されていることを特徴とする請求項１に記載のダストカップ。
【請求項３】
前記短縮位置規制アセンブリは、前記第２ケースに設けられて前記伸縮機構の最小ストロークを規制する突起部を備えることを特徴とする請求項２に記載のダストカップ。
【請求項４】
前記伸長位置規制アセンブリは、前記第１ケースに設けられた位置規制凸部を備え、前記第２ケースには長溝が設けられており、前記位置規制凸部が前記長溝内に設けられて前記伸縮機構の最大ストロークを規制することを特徴とする請求項２に記載のダストカップ。
【請求項５】
前記第１ケースに設けられたロック取付溝と、前記第２ケースに設けられたロックプレートとを備えるロック機構をさらに備え、
前記ロック取付溝は、ロック領域及びロック解除領域を備え、
前記伸縮機構が最大伸長状態になる場合に、前記ロックプレートが前記ロック領域に位置し、
前記伸縮機構が最大伸長状態にならない場合に、前記ロックプレートが前記ロック解除領域に位置することを特徴とする請求項２に記載のダストカップ。
【請求項６】
前記第１ケースには、内部に押しボタンが設けられた溝体が設けられており、前記押しボタンが前記ロックプレートと固定連結され、前記ロックプレートの一端が前記第２ケースと固定され、前記ロックプレートの他端が前記第１ケースに向けて設けられ、前記伸縮機構が最大伸長状態になる場合に、前記ロックプレートの他端が第１ケースに当接され、前記伸縮機構が最大伸長状態にならない場合に、前記ロックプレートの他端が前記第１ケースの内部に位置することを特徴とする請求項５に記載のダストカップ。
【請求項７】
前記第１ケース内に分離手段が設けられ、前記第２ケースの内壁に刷毛が固設され、前記刷毛が前記分離手段の外壁に向けて設けられ、前記刷毛の先端が分離手段に当接されていることを特徴とする請求項２に記載のダストカップ。
【請求項８】
前記刷毛が円弧状構造、円形構造又は平板構造であることを特徴とする請求項７に記載のダストカップ。
【請求項９】
前記第２ケース内に吸塵管がさらに設けられ、前記第１ケース内に前記吸塵管と嵌合される吸塵通路が設けられていることを特徴とする請求項２に記載のダストカップ。
【請求項１０】
請求項１〜９の何れか１項に記載のダストカップを備えることを特徴とする電気掃除機。
【考案の詳細な説明】
【技術分野】
【０００１】
本考案は、電気掃除機の技術分野に関し、具体的には、伸縮可能なダストカップおよび該ダストカップを使用した電気掃除機に関する。
【背景技術】
【０００２】
塵埃を速やかに清掃することができることから、電気掃除機がますます普及している。
【０００３】
ところで、従来のホース式の電気掃除機は体積が大きく、持ち運びに不便であるという不都合があった。
【０００４】
そこで、持ち運びの利便性を向上させたハンディタイプの電気掃除機（ハンディクリーナ）が種々提案されている（例えば、特許文献１等）。
【先行技術文献】
【特許文献】
【０００５】
【特許文献１】特開２００３−３１０５００号公報
【考案の概要】
【考案が解決しようとする課題】
【０００６】
ところが、上述のようなハンディクリーナは、重量の軽減化、体積の小型化のために、集塵用のダストカップとしては比較的容量の小さいものが採用されている。
【０００７】
そのため、ダストカップには少量の塵埃しか収容できないので、ユーザはダストカップに溜まった塵埃を頻繁に捨てる必要があり、作業効率に影響を及ぼして利便性を低下させてしまうという問題があった。
【０００８】
本考案は、上記課題に鑑みてなされたものであり、ダストカップの容量を可変できるようにして、伸長状態においてより多くの塵埃を収容することができ、利便性を向上可能なダストカップおよび該ダストカップを用いた電気掃除機を提供することを目的とする。
【課題を解決するための手段】
【０００９】
上記目的を達成するため、請求項１に係るダストカップは、第１ケース及び第２ケースを備え、前記第１ケースと前記第２ケースとが互いに嵌合されて伸縮機構を形成し、前記第１ケースと前記第２ケースの内部が連通接続され、前記第１ケースと前記第２ケースとの間には、短縮させた際の位置を規制する短縮位置規制アセンブリと、伸長させた際の位置を規制する伸長位置規制アセンブリと、を備える位置規制機構が設けられていることを要旨とする。
【００１０】
請求項２に記載のダストカップは、請求項１に記載の考案について、前記第１ケースが、前記第２ケースに嵌合されていることを要旨とする。
【００１１】
請求項３に記載のダストカップは、請求項２に記載の考案について、前記短縮位置規制アセンブリは、前記第２ケースに設けられて前記伸縮機構の最小ストロークを規制する突起部を備えることを要旨とする。
【００１２】
請求項４に記載のダストカップは、請求項２に記載の考案について、前記伸長位置規制アセンブリは、前記第１ケースに設けられた位置規制凸部を備え、前記第２ケースには長溝が設けられており、前記位置規制凸部が前記長溝内に設けられて前記伸縮機構の最大ストロークを規制することを要旨とする。
【００１３】
請求項５に記載のダストカップは、請求項２に記載の考案について、前記第１ケースに設けられたロック取付溝と、前記第２ケースに設けられたロックプレートとを備えるロック機構をさらに備え、前記ロック取付溝は、ロック領域及びロック解除領域を備え、前記伸縮機構が最大伸長状態になる場合に、前記ロックプレートが前記ロック領域に位置し、前記伸縮機構が最大伸長状態にならない場合に、前記ロックプレートが前記ロック解除領域に位置することを要旨とする。
【００１４】
請求項６に記載のダストカップは、請求項５に記載の考案について、前記第１ケースには、内部に押しボタンが設けられた溝体が設けられており、前記押しボタンが前記ロックプレートと固定連結され、前記ロックプレートの一端が前記第２ケースと固定され、前記ロックプレートの他端が前記第１ケースに向けて設けられ、前記伸縮機構が最大伸長状態になる場合に、前記ロックプレートの他端が第１ケースに当接され、前記伸縮機構が最大伸長状態にならない場合に、前記ロックプレートの他端が前記第１ケースの内部に位置することを要旨とする。
【００１５】
請求項７に記載のダストカップは、請求項２に記載の考案について、前記第１ケース内に分離手段が設けられ、前記第２ケースの内壁に刷毛が固設され、前記刷毛が前記分離手段の外壁に向けて設けられ、前記刷毛の先端が分離手段に当接されていることを要旨とする。
【００１６】
請求項８に記載のダストカップは、請求項７に記載の考案について、前記刷毛が円弧状構造、円形構造又は平板構造であることを要旨とする。
【００１７】
請求項９に記載のダストカップは、請求項２に記載の考案について、前記第２ケース内に吸塵管がさらに設けられ、前記第１ケース内に前記吸塵管と嵌合される吸塵通路が設けられていることを要旨とする。
【００１８】
請求項１０に記載の電気掃除機は、請求項１〜９の何れか１項に記載のダストカップを備えることを要旨とする。
【考案の効果】
【００１９】
本考案によれば、ダストカップの容量を可変できるようにして、伸長状態においてより多くの塵埃を収容することができ、利便性を向上可能なダストカップおよび該ダストカップを用いた電気掃除機を提供することができる。
【図面の簡単な説明】
【００２０】
【図１】実施の形態に係るダストカップの構成例を示す斜視図である。
【図２】実施の形態に係るダストカップのロック機構の構成例を示す断面図である。
【図３】実施の形態に係るダストカップの収縮状態を示す断面図である。
【図４】実施の形態に係るダストカップの伸長状態を示す断面図である。
【図５】実施の形態に係るダストカップを用いた電気掃除機の要部を示す斜視図である。
【図６】実施の形態に係るダストカップを用いた電気掃除機の全体構成を示す斜視図である。
【考案を実施するための形態】
【００２１】
図１〜図４を参照して、本考案の実施の形態に係るダストカップＤについて説明する。
【００２２】
図１〜図４に示すように、本実施の形態に係るダストカップＤは、第１ケース１０及び第２ケース２０を備え、第１ケース１０と第２ケース２０とが互いに嵌合されて伸縮構造を形成し、第１ケース１０と第２ケース２０の内部が連通接続される伸縮可能なダストカップである。
【００２３】
このダストカップＤは、伸縮構造であるので、その容量を大きくすることができ、より多くの塵埃を収納することができる。
【００２４】
また、使用しない状態では、収縮することが可能で、体積を減少させ、持ち運びや収納時の利便性を向上することができる。
【００２５】
ここで、第１ケース１０と第２ケース２０との間には、短縮位置規制アセンブリ及び伸長位置規制アセンブリを備える位置規制機構が設けられている。
【００２６】
短縮位置規制アセンブリは、短縮状態でダストカップを位置規制することができ、さらにダストカップの最小ストロークを規制し、伸長位置規制アセンブリは、ダストカップの伸長状態における最大ストロークを位置規制することができる。なお、好ましくは、第１ケース１０が第２ケース２０に嵌合されるようにできる。
【００２７】
短縮位置規制アセンブリは、第２ケース２０に設けられて伸縮構造の最小ストロークを規制する突起部２１を備える。
【００２８】
第１ケース１０と第２ケース２０とが相対移動する際に、即ちダストカップが収縮される場合に、第２ケース２０における突起部２１が第１ケース１０に当接されることで、第１ケース１０に向けて移動し続けることができなくなる。
【００２９】
伸長位置規制アセンブリは、第１ケース１０に設けられた位置規制凸部１１を備え、第２ケース２０に長溝２６が設けられており、位置規制凸部１１が長溝２６内に設けられて伸縮構造の最大ストロークを規制する。
【００３０】
そして、長溝２６があるため、位置規制凸部１１が長溝２６内での摺動しかできないことにより、ダストカップの収縮状態における最大ストロークを位置規制する。
【００３１】
ダストカップが伸長される場合に、第１ケース１０における位置規制凸部１１が第２ケース２０に係合される（即ち、長溝２６の溝壁を引っ掛ける）ことにより、第２ケース２０を係合する。これにより、ダストカップＤが制限なく伸長することはなく、第１ケース１０と第２ケース２０とが分離することもない。
【００３２】
本実施の形態に係るダストカップＤは、さらに、第１ケース１０に設けられたロック取付溝２２と、第２ケース２０に設けられたロックプレート２３とを備えるロック機構を有する。また、ロック取付溝２２はロック領域及びロック解除領域を備え、伸縮機構が最大伸長状態になる場合に、ロックプレート２３がロック領域に位置し、伸縮機構が最大伸長状態にならない場合に、ロックプレート２３がロック解除領域に位置する。
【００３３】
ダストカップＤを最大長さに伸長させた場合に、ダストカップ内の容量は最大となる。また、ダストカップＤの安定化を確保するために、ロック機構は第１ケース１０と第２ケース２０とをロックすることにより、ダストカップが収縮することが防止される。
【００３４】
より具体的には、第１ケース１０には、内部に押しボタン２４が設けられている溝体が設けられ、押しボタン２４がロックプレート２３と固定連結される。
【００３５】
また、ロックプレート２３の一端が第２ケース２０と固定され、ロックプレート２３の他端が第１ケース１０に向けて設けられる。
【００３６】
伸縮構造が最大伸長状態になる場合に、ロックプレート２３の他端が第１ケース１０に当接され、伸縮構造が最大伸長状態にならない場合に、押しボタン２４を押圧し、この場合にロックプレート２３の他端が第１ケース１０の内部に位置する。
【００３７】
第２ケース２０が第１ケース１０に対して移動することで、ダストカップを収縮させる。
【００３８】
本実施の形態に係るダストカップＤにはロック機構が２つあり、この２つのロック機構が第２ケース２０に対して対称配置される。
【００３９】
第２ケース２０には、ロックプレート２３側に位置する位置規制プレート２７がさらに設けられ、押しボタン２４を押圧する際に、位置規制プレート２７がロックプレート２３の移動を位置規制して、ロックプレート２３の過度の湾曲を防止する。
【００４０】
ダストカップＤは、収縮状態において、第１ケース１０及び第２ケース２０を掴んで最大伸長状態に拡大させることができる。この場合にロックプレート２３の固定されていない一端がロックプレート２３自体のテンションの作用で外向きに開けられ、ロックプレート２３がロック解除領域に移動して、ロックプレート２３が第１ケース１０の壁面に当接され、第１ケース１０と第２ケース２０とが相対固定される。
【００４１】
ダストカップＤを収縮させる必要がある場合には、押しボタン２４を押圧することにより、ロックプレート２３の固定されていない一端がダストカップ内に移動（即ち、ロックプレート２３がロック解除領域にまで移動）し、この場合に、第２ケース２０が第１ケース１０に対して移動し、ダストカップが収縮状態とされる。
【００４２】
第１ケース１０内には分離手段４０が設けられ、第２ケース２０の内壁に刷毛４１が固設され、刷毛４１が分離手段４０の外壁に向けて設けられ、刷毛４１の先端が分離手段４０に当接されている。
【００４３】
第２ケース２０と第１ケース１０とが相対移動することができるので、ダストカップＤは伸長又は短縮されている間に、刷毛４１が分離手段４０の表面を清掃でき、利便性が向上し、実用的である。
【００４４】
分離手段４０における塵埃が刷毛４１に清掃されて塵埃収容室内に落下されるので、塵埃出しに便利である。
【００４５】
なお、周知のように、分離手段４０が長期間に使用されると、その表面に塵埃が付着し、ダストとエアとの分離効率に影響を与えることはあり得る。
【００４６】
ここで、従来は分離手段４０の清掃が非常に面倒であり、清掃する際に、ダストカップＤを開き、刷毛で分離手段４０の表面を掃除するか、或いはティッシュペーパ等で分離手段４０の表面を拭う必要があった。そのため、清掃が不便であり、また塵埃を周りに飛び散らせる虞があった。
【００４７】
本実施の形態に係るダストカップＤに適用される刷毛４１は、ダストカップＤの閉鎖状態において分離手段４０を清掃することができる。そのため、塵埃を周りに飛び散らせることがなく、清掃後においても塵埃はダストカップ内に収容されるので塵埃出しの利便性等を向上することができる。
【００４８】
また、第２ケース２０の端部には、カバー２５がさらに設けられ、このカバー２５を開くことで、ダストカップＤ内の塵埃を出すことができる。
【００４９】
本実施の形態に係るダストカップＤに適用される刷毛４１は円弧状構造、円形構造又は平板構造である。刷毛４１が分離手段４０の周りに設けられることにより、分離手段４０を楽に清掃することができる。
【００５０】
第２ケース２０内に吸塵管３０がさらに設けられ、第１ケース１０内には吸塵管３０と嵌合される吸塵通路３１が設けられている。
【００５１】
第２ケース２０が第１ケース１０に対して伸縮移動する際に、吸塵管３０が吸塵通路３１に対して伸縮することもでき、このようにして該装置はより大きな容量を確保することができる。
【００５２】
吸塵管３０の端部には、種々の吸込ヘッドを接続することができる。
【００５３】
また、吸塵通路３１内にはフラップ３２が設けられ、フラップ３２が吸塵通路３１の内壁とねじりばねを介して接続される。電気掃除機の吸引力が作用することで、フラップが開けられる。フラップ３２はゴム部材であってもよく、電気掃除機の吸引力により弾性変形されて開けられる。
【００５４】
なお、本実施の形態に係るダストカップＤは、図５および図６に示すような電気掃除機Ｅに適用することができる。
【００５５】
ここで、図５は、本実施の形態に係るダストカップＤを用いた電気掃除機Ｅの要部を示す斜視図、図６は、本実施の形態に係るダストカップＤを用いた電気掃除機Ｅの全体構成を示す斜視図である。
【００５６】
電気掃除機Ｅは、ハンディクリーナであり、上述した伸縮可能なダストカップＤ及びハンドル５０を備える。この電気掃除機Ｅは収納が容易であり、ダストカップＤの容量が大きくて、使い易いというメリットを有する。
【００５７】
以上、本考案に係るダストカップおよび該ダストカップを用いた電気掃除機を図示の実施形態に基づいて説明したが、本考案はこれに限定されるものではなく、各部の構成は、同様の機能を有する任意の構成のものに置き換えることができる。
【符号の説明】
【００５８】
Ｄ…ダストカップ
Ｅ…電気掃除機
１０…第１ケース
１１…位置規制凸部
２０…第２ケース
２１…突起部
２２…ロック取り付け溝
２３…ロックプレート
２４…押しボタン
２５…カバー
２６…長溝
２７…位置規制プレート
３０…吸塵管
３１…吸塵通路
３２…フラップ
４０…分離手段
４１…刷毛
５０…ハンドル
【図１】
0003222836.tif 000003
【図２】
0003222836.tif 000004
【図３】
0003222836.tif 000005
【図４】
0003222836.tif 000006
【図５】
0003222836.tif 000007
【図６】
0003222836.tif 000008